(57)【要約】【課題】メディアや説明書がなくてもドライバのインストールを容易に行う。【解決手段】操作パネル４７からの指示情報に基づいて記憶装置９に記憶された所定のフォームが画像形成手段によって出力され、このフォームに、ドライバをＰＣ等の情報処理装置へインストールする際に必要な設定情報が記入される。そして、この設定情報が記入されたフォームを原稿読取部５によって読み込ませることで当該設定情報を抽出し、この設定情報に基づいて、記憶装置９に記憶されているドライバは、制御部１０によって情報処理装置にインストールされる。これにより、ドライバが入っているＣＤ−ＲＯＭ等のメディアやインストールに関する説明書がなくてもドライバのインストールが容易に行える。【選択図】  図２
2004195901.tif 000002
【特許請求の範囲】
【請求項１】
原稿を読み取って当該原稿に対応する画像データを作成する読み取り手段を備え、所定の情報処理装置に接続可能に構成された画像形成装置において、所定の操作指示を受け付けるための操作手段と、所定のプログラムを実行することにより前記画像形成装置全体の動作を制御する制御手段と、少なくともデバイスドライバプログラムと前記デバイスドライバプログラムを前記情報処理装置へインストールするための第１の設定情報を記入する第１のフォームの画像データとを記憶する記憶手段と、前記操作手段からの指示情報に基づいて前記第１のフォームの画像を形成する画像形成手段とを備え、前記制御手段は、前記読み取り手段によって読み込まれた前記第１のフォームの画像データから抽出された前記第１の設定情報に基づいて、前記デバイスドライバプログラムを前記情報処理装置にインストールすることを特徴とする画像形成装置。
【請求項２】
前記記憶手段は、少なくとも前記画像形成装置の動作の調整を行うための第２の設定情報を記入する第２のフォームの画像データを記憶し、前記画像形成手段は、前記操作手段からの指示情報に基づいて前記第２のフォームの画像を形成し、前記制御手段は、前記読み取り手段によって読み込まれた前記第２のフォームの画像データから抽出された前記第２の設定情報に基づいて前記調整を行うことを特徴とする請求項１記載の画像形成装置。
【請求項３】
前記第１及び第２のフォームは、所定のチェック記号を記入することによって種々の設定項目に対する選択肢から該当するものを選択する形式であることを特徴とする請求項１又は２記載の画像形成装置。
【発明の詳細な説明】
【０００１】
【発明の属する技術分野】
本発明は、複写機、プリンタ等の画像形成装置に関し、特に、パーソナルコンピュータ等の情報処理装置に接続することが可能な画像形成装置に関するものである。
【０００２】
【従来の技術】
従来、ＰＣ（パーソナルコンピュータ）やワークステーション等の情報処理装置に対して複写機やプリンタ等の周辺装置を利用する場合には、情報処理装置に、デバイスドライバプログラム（以降、ドライバと称す）と呼ばれる、周辺装置の制御を行うためのソフトウェアを搭載する必要がある。多くの場合、このドライバは各周辺装置毎に異なっており、使用する予定のないものを含む複数のドライバを予め情報処理装置にインストールしておく必要があった。そして、新たに別の周辺装置を追設したり、既に設置されている周辺装置を新機種に交換するためにドライバの更新を行なう場合には、その都度、ＣＤ−ＲＯＭ等のメディアを情報処理装置側で起動させるなどして当該ドライバのインストールを行う必要があった。また、このインストール時の各段階において各種設定情報の入力を要求されるなど、インストール作業が非常に煩雑なものになることがあった。
【０００３】
そこで、このような問題を解決するために、上記ドライバを周辺装置側に設けておき、情報処理装置に周辺装置が接続された際に、情報処理装置が周辺装置にアクセスしてこのドライバを読み出し、情報処理装置に当該ドライバをインストールする技術が公開されている（例えば、特許文献１参照）。
【０００４】
【特許文献１】
特開平８−１０１８０３号公報
【０００５】
【発明が解決しようとする課題】
しかしながら、上記従来技術では、インストール時に不具合が生じたり、インストール後に各種調整（設定）が必要となった場合には、例えば、当該ドライバが記録されているメディア、又はインストールなどに関する各種調整方法等が記載された説明書（マニュアル書類）などが必要になる。この場合、最初に装置を設置する際には、このメディアや説明書が存在するためインストールを行うことができる。しかし、暫く経った後に、例えば、最初にドライバをインストールしたＰＣとは別のＰＣに、ドライバをインストールしようとした場合、当該メディア及び説明書が紛失していることがあり、インストールや各種調整を行うことが困難になるといった問題が依然存在する。また、仮にメディアや説明書が紛失していない場合であっても、各種調整に関する設定を行うときに、目的とする調整項目がＰＣの何れの画面に表示されているのか探し出すのに手間取ってしまうといった問題があった。
【０００６】
そこで、本発明は上記問題に鑑みてなされたもので、ＣＤ−ＲＯＭなどのメディアや説明書がなくてもドライバ等のインストール作業や各種調整を容易に行える画像形成装置を提供することを目的とする。
【０００７】
【課題を解決するための手段】
請求項１記載の発明は、原稿を読み取って当該原稿に対応する画像データを作成する読み取り手段を備え、所定の情報処理装置に接続可能に構成された画像形成装置において、所定の操作指示を受け付けるための操作手段と、所定のプログラムを実行することにより前記画像形成装置全体の動作を制御する制御手段と、少なくともデバイスドライバプログラムと前記デバイスドライバプログラムを前記情報処理装置へインストールするための第１の設定情報を記入する第１のフォームの画像データとを記憶する記憶手段と、前記操作手段からの指示情報に基づいて前記第１のフォームの画像を形成する画像形成手段とを備え、前記制御手段は、前記読み取り手段によって読み込まれた前記第１のフォームの画像データから抽出された前記第１の設定情報に基づいて、前記デバイスドライバプログラムを前記情報処理装置にインストールすることを特徴とする画像形成装置である。
【０００８】
上記構成によれば、操作手段からの指示情報に基づいて、記憶手段に記憶された第１のフォームが画像形成手段によって出力され、この第１のフォームにデバイスドライバプログラムをＰＣ等の情報処理装置へインストールする際に必要な第１の設定情報が記入される。そして、第１の設定情報が記入された第１のフォームは読み取り手段によって読み込まれて第１の設定情報が抽出され、当該第１の設定情報に基づいて、記憶手段に記憶されているデバイスドライバプログラムは情報処理装置にインストールされる。これにより、デバイスドライバプログラムが入っているＣＤ−ＲＯＭ等のメディアやインストールに関する説明書がなくてもデバイスドライバプログラム等のインストール作業が可能となり、また、インストールに必要な設定情報が第１のフォームにより予め確認されるので、インストールの各段階において当該設定情報を調べ直すといった手間が省かれ、容易にインストールが行われる。
【０００９】
請求項２記載の発明は、上記請求項１記載の画像形成装置において、前記記憶手段は、少なくとも前記画像形成装置の動作の調整を行うための第２の設定情報を記入する第２のフォームの画像データを記憶し、前記画像形成手段は、前記操作手段からの指示情報に基づいて前記第２のフォームの画像を形成し、前記制御手段は、前記読み取り手段によって読み込まれた前記第２のフォームの画像データから抽出された前記第２の設定情報に基づいて前記調整を行うことを特徴とする。この構成によれば、記憶手段に記憶された第２のフォームが画像形成手段によって出力され、この第２のフォームに少なくとも画像形成装置の動作の調整を行うために必要な第２の設定情報が記入される。そして、この第２の設定情報が記入された第２のフォームは読み取り手段によって読み込まれて第２の設定情報が抽出され、この第２の設定情報に基づいて画像形成装置の各種調整が行われる。これにより、画像形成装置の調整時に必要なソフトなどが入っているＣＤ−ＲＯＭ等のメディアや説明書がなくても画像形成装置の調整作業が可能となり、また、第２のフォームにより予め調整内容が確認されるため情報処理装置などにおいて各種調整項目に関する設定画面を検索する手間が省かれ、容易に画像形成装置の調整が行われる。
【００１０】
請求項３記載の発明は、上記請求項１又は２記載の画像形成装置において、前記第１及び第２のフォームは、所定のチェック記号を記入することによって種々の設定項目に対する選択肢から該当するものを選択する形式であることを特徴とする。この構成によれば、所定のチェック記号を記入することによって各種設定項目に対する選択肢から該当するものが選択される形式であるため、第１及び第２のフォームに、容易にかつ確実に必要な設定情報が記入される。
【００１１】
【発明の実施の形態】
以下、本発明に係る実施形態を図面に基づいて説明する。図１は、本発明の一実施形態に係る画像形成装置の一例である複写機１の内部構成を概略的に示す断面図である。
【００１２】
複写機１は、本体部２と、本体部２の左方に配設されたスタックトレイ３と、本体部２の上部に配設された原稿読取部５と、原稿読取部５の上方に配設された原稿給送部６とを有している。また、複写機１のフロント部には、ユーザが印刷実行指示を入力するためのスタートキー４７１と、印刷部数等を入力するためのテンキー４７２と、各種複写動作の設定等を入力するための操作ガイド情報等を表示すると共に、種々の操作指令を入力するための種々の操作ボタン等を表示する液晶表示器（ＬＣＤ）等からなる表示器４７３（タッチパネル）と、各種設定用のフォーム（フォーム用紙）を出力（印刷）させるための指示情報を入力するためのフォーム出力指示キー４７４とを備えた操作パネル４７が設けられている。
【００１３】
原稿読取部５は、ＣＣＤ(Charge Coupled Device)センサ及び露光ランプ等からなるスキャナ５１と、ガラス等の透明部材により構成された原稿台５２（プラテンガラス）及び原稿読取スリット５３とを備える。スキャナ５１は、図略の駆動部によって移動可能に構成され、原稿台５２に載置された原稿を読み取るときには原稿台５２に対向する位置に移動され、原稿画像を走査しつつ取得した画像データを後述する制御部１０へ出力する。また、原稿給送部６により給送された原稿を読み取るときには原稿読取スリット５３と対向する位置に移動され、原稿読取スリット５３を介して原稿給送部６による原稿の搬送動作と同期して原稿の画像を取得し、その画像データを制御部１０へ出力する。
【００１４】
原稿給送部６は、原稿を載置するための原稿載置部６１と、画像読み取り後の原稿を排出するための原稿排出部６２と、原稿載置部６１に載置された原稿を１枚ずつ順に繰り出して原稿読取スリット５３に対向する位置へ搬送し、原稿排出部６２へ排出するための給紙ローラ（図略）及び搬送ローラ（図略）等からなる原稿搬送機構６３を備える。原稿搬送機構６３は、原稿を表裏反転させて原稿読取スリット５３と対向する位置へ搬送する図略の用紙反転機構をさらに備え、原稿の両面の画像を原稿読取スリット５３を介してスキャナ５１から読取可能にしている。
【００１５】
また、原稿給送部６は、可倒式に構成されており、原稿台５２上面を開放するように上方に持ち上げることにより、原稿台５２の上面に、読み取り原稿、例えば見開き状態にされた書籍等を載置することが可能に構成されている。
【００１６】
本体部２は、それぞれサイズが異なる記録紙を収納する複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成する記録部４０とを備える。
【００１７】
記録部４０は、スキャナ５１で取得された画像データに基づいてレーザー光を出力して感光体ドラム４３を露光する光学ユニット４２と、感光体ドラム４３上にトナー像を形成する画像形成部４４と、感光体ドラム４３上のトナー像を記録紙に転写する転写部４１と、トナー像が転写された記録紙を加熱してトナー像を記録紙に定着させる定着部４５と、記録部４０内の用紙搬送路中に設けられた搬送ローラ等によって記録紙を搬送し、この記録紙をスタックトレイ３又は排出トレイ４８へ排出する用紙搬送装置４６とを備える。
【００１８】
図２は、図１に示す複写機１の概略構成を示すブロック図である。画像メモリ７は、原稿読取部５（スキャナ５１）によって読み取られた原稿画像のデータが一時的に記憶されるメモリである。ＨＤＤ(Hard Disk Drive)８は、原稿読取部５によって読み取られた画像データ及び当該画像データに設定されている出力形式等が記憶される記憶装置である。なお、ＨＤＤ８に記憶されている画像データ等は複写機１で使用されるだけでなく、必要に応じてネットワークＩ／Ｆ部１１を介してクライアントＰＣ等から確認されたり、クライアントＰＣ等の所定のフォルダへ転送される。
【００１９】
記憶装置９は、ＥＰＲＯＭやフラッシュメモリなどの不揮発性半導体メモリ、あるいはＣＤ−ＲＯＭ装置等からなり、後述するドライバ、フォーム、及び各種プログラム等を記憶するものである。記憶装置９は、ドライバ記憶部９１及びフォームデータ記憶部９２を備える。ドライバ記憶部９１は、複写機１に接続されたクライアントＰＣ（以降、ＰＣ（パーソナルコンピュータ）と称す）に対して複写機１の動作の制御を行うためのデバイスドライバプログラム（以降、ドライバと称す）を格納するものである。
【００２０】
フォームデータ記憶部９２は、用紙に印刷される所定のフォームのデータを格納するものである。このフォームは、ドライバのＰＣに対するインストールの際に必要な各種設定情報（以降、インストール情報と称す）、あるいは、複写機１の各種調整を行う際に必要な各種設定情報（以降、調整情報）を記入するためのものである。ここで、フォームデータ記憶部９２に（データとして）格納されているフォームの一例を図３に示す。図３は上記調整情報が纏められたフォームのデータが所定の用紙に出力（印刷）されることで得られたフォーム３００であり、同図に示すように、このフォーム３００には、各種調整項目、及び当該調整項目に対する選択項目（設定項目）が纏められている。この選択項目には同図に示すチェックボックス３０１が付記されており、このチェックボックス３０１内にチェック記号を記入することにより所望の項目が選択される形式となっている。
【００２１】
なお、記憶装置９は、ドライバをインストールするために必要なインストールプログラム（ソフトウェア）、複写機１の各種調整を行うための調整用プログラム、及びスキャナ５１で読み取られた画像データから所定の文字や記号（符号）の認識が可能な例えば光学文字認識（ＯＣＲ）プログラム等を格納している。
【００２２】
制御部１０は、複写機１の制御プログラムを記憶するＲＯＭ(Read Only Memoly)、一時的にデータを保管するＲＡＭ(Random Access Memory)、及び制御プログラム等を上記ＲＯＭから読み出して実行するマイクロコンピュータ（ＣＰＵ）等からなり、操作パネル４７等で受け付けられた指示情報や、本装置の各所に設けられているセンサからの検出信号に応じて装置全体の制御を行う処理を実行するものである。また、制御部１０は、設定情報受付部１０１を備えている。
【００２３】
設定情報受付部１０１は、原稿読取部５で読み込まれた、上記インストール情報や調整情報等の設定情報が記入されたフォームの画像データから、上記光学文字認識プログラムなどによって抽出された上記設定情報を受け付けるものである。設定情報受付部１０１は、設定情報記憶部１０２を含んでおり、設定情報受付部１０１で受け付けられた設定情報は、この設定情報記憶部１０２に一時的に記憶される。
【００２４】
ネットワークＩ／Ｆ部１１は、ネットワークインタフェース（例えば10/100Base-TX）等を用い、ＬＡＮ（Local Area Network）などのネットワークを介して接続されたＰＣなどの情報処理装置における種々のデータの送受信を制御するものである。例えば、ネットワークＩ／Ｆ部１１は、ＰＣに対して後述するドライバを送信したり、当該ドライバをインストールするために必要な情報や、複写機１の各種調整を行うために必要な情報を送受信したりする。パラレルＩ／Ｆ部１２は、高速双方向パラレルインターフェイス（例えばＩＥＥＥ１２８４準拠）等を用い、複数の信号線を用いて複数ビット単位でデータを送信するパラレル伝送により外部機器等から印刷データ等を受信等するものである。シリアルＩ／Ｆ部１３は、シリアルインターフェイス（例えばＲＳ−２３２Ｃ）等を用い、単一の信号線を用いて1ビットずつ順次データを送るシリアル伝送により外部機器等から種々のデータ等を受信等するものである。
【００２５】
図４は、複写機１のドライバを情報処理装置へインストールするときの動作の一例を説明するためのフローチャートである。まず、操作パネル４７から入力された指示情報に基づいて、記憶装置９のフォームデータ記憶部９２内に記憶されているインストール情報記入用のフォームのデータを用いて記録部４０において当該フォームの画像が印刷され、スタックトレイ３又は排出トレイ４８にこのフォームが印刷された用紙が排出される（ステップＳ４０１）。そして、このフォームにインストールに必要な設定情報（例えば上述のチェック記号等）が記入される（ステップＳ４０２）。次に、この必要な設定情報が記入されたフォームを原稿読取部５で読み取らせる（ステップＳ４０３）。読み取られた当該フォームの画像データは、一旦、画像メモリ７に記憶される。そして、記憶装置９内の光学文字認識プログラム等によって、画像メモリ７内に記憶された上記フォームの画像データからチェック記号等の記入内容が抽出されることによって、インストールに必要な各種設定情報が得られる（ステップＳ４０４）。記憶装置９に格納されているインストールプログラムにより、複写機１に接続されているＰＣ等の情報処理装置へアクセス信号等が送信され、ドライバのインストールが行われてもよいか否かが確認される（ステップＳ４０５）。インストールに関するデータの受け入が情報処理装置側で許可されると（ステップＳ４０６のＹＥＳ）、上記インストールプログラムによって、記憶装置９に格納されているドライバは、ステップＳ４０４で得られたインストール情報と共に情報処理装置へ転送される（ステップＳ４０７）。そして、情報処理装置には、当該情報処理装置で受け取られたインストール情報に基づいてドライバがインストールされる（ステップＳ４０８）。なお、上記ステップＳ４０６において、インストール情報に関するデータの受け入が情報処理装置側で許可されなければインストール動作は行われない。
【００２６】
図５は、複写機１の各種調整を行うときの動作の一例を説明するためのフローチャートである。まず、操作パネル４７から入力された指示情報に基づいて、記憶装置９のフォームデータ記憶部９２内に記憶されている複写機１の調整情報入力用のフォームのデータを用いて記録部４０において当該フォームの画像が印刷され、スタックトレイ３又は排出トレイ４８にこのフォームが印刷された用紙が排出される（ステップＳ５０１）。そして、このフォームに各種調整に必要な設定情報（例えば上述のチェック記号等）が記入される（ステップＳ５０２）。次に、この必要な設定情報が記入されたフォームを原稿読取部５で読み取らせる（ステップＳ５０３）。読み取られたフォームの画像データは、一旦、画像メモリ７に記憶される。そして、記憶装置９内の光学文字認識プログラム等によって、画像メモリ７内の上記フォームの画像データからチェック記号等の記入内容が抽出されることによって上記調整に必要な各種設定情報が得られる（ステップＳ５０４）。記憶装置９に格納されている調整用プログラムにより、複写機１に接続されているＰＣ等の情報処理装置へアクセス信号等が送信され、複写機１の調整が行われてもよいか否かが確認される（ステップＳ５０５）。調整に関するデータの情報処理装置側の受け入が許可されると（ステップＳ５０６のＹＥＳ）、上記調整用プログラムによって、ステップＳ５０４で得られた調整情報は情報処理装置へ転送され（ステップＳ５０７）、そして、情報処理装置に対する複写機１の調整が当該調整情報に基づいて行われる（ステップＳ５０８）。なお、上記ステップＳ５０６において、各種調整情報に関するデータの受け入が情報処理装置側で許可されなければ調整動作は行われない。
【００２７】
以上のとおり、本発明の画像形成装置によれば、ＰＣ等の情報処理装置に対する画像形成装置（周辺装置）に、当該画像形成装置用のドライバ及びドライバのインストール情報、並びに所要の設定情報が記入されるフォーム（フォームデータ）が保存されている。よって、ＣＤ−ＲＯＭ等のメディアや説明書がない場合においても、インストールや各種調整を行うことができる。また、周辺装置側から、必要に応じて上記ドライバのインストールや各種調整を行うことができるため、情報処理装置側からの各設定情報の入力等の操作が必要なくなり、インストール及び各種調整作業が容易になる。また、このインストールや各種調整を行う際、周辺装置において当該フォームをプリントアウトさせることができ、インストールや各種調整に必要な情報を予めこのフォーム内容で確認することができるため、各設定段階において必要な情報を調べ直す手間を省くことができる。
【００２８】
なお、本発明は以下の態様をとることができる。
（Ａ）本実施形態においては、光学文字認識プログラム、インストールプログラム、調整用プログラム、ドライバ、及び各フォームデータは、記憶装置９に記憶されているが、これらは記憶装置９に格納されなくともよく、例えば制御部１０のＲＯＭ等に記憶されてもよい。また、上記各プログラム、ドライバ、及びフォームデータは、それぞれ個別の記憶装置（又は制御部１０のＲＯＭなど）に記憶されていてもよい。
（Ｂ）本実施形態においては、各フォームの出力（印刷）は、操作パネル４７からの指示入力に基づいて行われているが、例えばＰＣ等の情報処理装置側からの指示入力に基づいて行われてもよい。
（Ｃ）本実施形態においては、複写機１の各種調整は、複写機１がＰＣ等の情報処理装置に接続されている条件で行われているが、情報処理装置に接続されていない条件において当該各種調整が行われる構成であってもよい。
（Ｄ）本実施形態においては、各フォームへの各設定情報の記入は、チェック記号の記入による形式で行っているが、この形式以外の記入形式であってもよい。例えば、マークシートによる選択形式、あるいは、複数の選択肢の中から所定の項目（例えば選択番号）を、例えば円（丸印）で囲むなどして選択する形式であってもよい。また  フォームに所定の記入欄（枠）を設け、この記入欄の中に各種設定情報に関する文字や記号（符号）を記入する形式であってもよい。
（Ｅ）情報処理装置に対する周辺装置は、操作部（本実施形態における操作パネル４７に相当）、原稿読み取り部（原稿読取部５に相当）及び印刷部（記録部４０に相当）を備える構成であればよく、例えば、プリンタ装置とスキャナ装置とが互いに接続された装置が、情報処理装置に接続された構成であってもよい。この場合、これら各装置のいずれかに設けられた操作部からの指示入力によって、プリンタ装置から所定のフォームを出力（印刷）し、スキャナ装置によって、この所定の設定情報が記入された当該フォームを読み込ませ、読み込まれたフォームの画像データから抽出された当該設定情報に基づいて、情報処理装置に対し、プリンタ装置あるいはスキャナ装置のドライバをインストールしたり、各種調整を行う構成としてもよい。
【００２９】
【発明の効果】
請求項１記載の発明によれば、ドライバが入っているＣＤ−ＲＯＭ等のメディアやインストールに関する説明書がなくてもドライバ等のインストール作業を行うことが可能となり、また、インストールに必要な設定情報を第１のフォームによって予め確認できるため、インストールの各段階において当該設定情報を調べ直すといった手間が省かれ、容易にインストールを行うことができる。
【００３０】
請求項２記載の発明によれば、画像形成装置の調整時に必要なソフトなどが入っているＣＤ−ＲＯＭ等のメディアや説明書がなくても画像形成装置の調整作業が可能となり、また、第２のフォームにより予め調整内容を確認できるため、情報処理装置などにおいて各種調整項目に関する設定画面を検索する手間が省かれ、容易に画像形成装置の調整を行うことができる。
【００３１】
請求項３記載の発明によれば、所定のチェック記号を記入することによって各種設定項目に対する選択肢から該当するものが選択される形式であるため、第１及び第２のフォームに、容易にかつ確実に必要な設定情報を記入することができる。
【図面の簡単な説明】
【図１】本発明の一実施形態に係る画像形成装置の一例である複写機の内部構成を概略的に示す断面図である。
【図２】上記した複写機の概略構成を示すブロック図である。
【図３】フォームの一例を示す図である。
【図４】複写機のドライバをＰＣへインストールするときの動作の一例を説明するためのフローチャートである。
【図５】複写機の各種調整を行うときの動作の一例を説明するためのフローチャートである。
【符号の説明】
１  複写機
５  原稿読取部（読み取り手段）
７  画像メモリ
８  ＨＤＤ
９  記憶装置（記憶手段）
９１  ドライバ記憶部
９２  フォームデータ記憶部
１０  制御部（制御手段）
１１  ネットワークＩ／Ｆ部
１２  パラレルＩ／Ｆ部
１３  シリアルＩ／Ｆ部
４０  記録部（画像形成手段）
４７  操作パネル（操作手段）
４７１、４７２、４７４  操作キー
４７３  表示器
【図１】
2004195901.tif 000003
【図２】
2004195901.tif 000004
【図３】
2004195901.tif 000005
【図４】
2004195901.tif 000006
【図５】
2004195901.tif 000007